(57)【要約】【課題】コンピュータを接続してデータ通信モデムとしても使用するときに、携行する部品点数を少なくできるようにするとともに、配線を簡単にすることができるようにした。【解決手段】装置本体１が、無線装置２に対して無線信号を送受信可能な本体側信号送受信手段を備え、無線装置２が、装置本体１に対して無線信号を送受信可能な無線装置側信号送受信手段と、受信した無線信号に含まれる音声信号に基づいて音声を生成可能なレシーバ２１と、送信する無線信号に含ませる音声信号を生成可能なマイクと、電子機器に着脱可能に接続され、接続された電子機器に対しデータ信号を送受信可能な機器接続手段２３と、を備え、無線装置側信号送受信手段が、電子機器からのデータ信号を無線信号に含ませて本体側信号送受信手段に送信するとともに、装置本体からの無線信号に含まれるデータ信号を、機器接続手段２３を介して電子機器に送信する。【選択図】      図１
2009141499.tif 000002
【特許請求の範囲】
【請求項１】
公衆通信網を介して通信可能な装置本体と、該装置本体に付設される無線装置とを備える携帯端末装置であって、
前記装置本体が、
前記無線装置に対して音声信号及びデータ信号を含む無線信号を送受信可能な本体側信号送受信手段を備え、
前記無線装置が、
前記装置本体に対して前記無線信号を送受信可能な無線装置側信号送受信手段と、
前記無線装置側信号送受信手段で受信した無線信号に含まれる音声信号に基づいて音声を生成可能なレシーバと、
前記無線装置側信号送受信手段から送信される無線信号に含ませる音声信号を生成可能なマイクと、
電子機器に着脱可能に接続され、該接続された電子機器に対しデータ信号を送受信可能な機器接続手段と、を備え、
前記無線装置側信号送受信手段が、前記電子機器からのデータ信号を無線信号に含ませて前記本体側信号送受信手段に送信するとともに、前記装置本体からの無線信号に含まれるデータ信号を、前記機器接続手段を介して電子機器に送信することを特徴とする携帯端末装置。
【請求項２】
前記装置本体が、前記無線装置を着脱可能に保持する保持部を備える請求項１記載の携帯端末装置。
【請求項３】
前記無線装置が、前記保持部に保持されたときに、前記装置本体から充電を受ける充電回路を備える請求項２記載の携帯端末装置。
【請求項４】
前記無線装置側信号送受信手段が、前記無線信号に含まれる音声信号をレシーバに出力し、前記マイクからの音声信号が入力される音声信号入出力手段と、前記機器接続手段に対して無線信号の入出力を行なうデータ信号入出力手段と、前記音声信号入出力手段又はデータ入出力手段を選択して使用可能にする選択手段と、を備える請求項１〜３のいずれかに記載の携帯端末装置。
【請求項５】
前記無線装置が、前記機器接続手段の接続を検知する機器接続検知手段と、該機器接続検知手段の検知が有るときに、前記選択手段に前記データ入出力手段を選択させ、該機器接続検知手段の検知が無いときに、前記選択手段に前記音声信号入出力手段を選択させる無線装置側制御手段とを備える請求項４記載の携帯端末装置。
【請求項６】
前記装置本体及び前記無線装置が、互いに着脱可能に接続されるとともに、これらの間で音声信号及びデータ信号を伝送可能なコネクタを備え、
前記無線装置が、前記コネクタの接続を検知する本体接続検知手段を備え、
前記無線装置側制御手段が、前記本体接続検知手段の検知が無いときに、前記無線装置側信号送受信手段を動作状態にし、前記本体接続検知手段の検知が有るときに、前記無線装置側信号送受信手段を非動作状態にする請求項４又は５記載の携帯端末装置。
【請求項７】
前記装置本体が、前記コネクタの前記装置本体への接続を検知する無線装置接続検知手段と、該無線装置接続検知手段の検知が有るときに、前記本体側信号送受信手段を非動作状態とする本体側制御手段を備える請求項６記載の携帯端末装置。
【請求項８】
公衆通信網を介して通信可能な携帯端末装置に用いられる無線装置であって、
前記携帯端末装置に対して前記音声信号及びデータ信号を含む無線信号を送受信可能な無線装置側信号送受信手段と、
前記無線装置側信号送受信手段で受信した無線信号に含まれる音声信号に基づいて音声を生成可能なレシーバと、
前記無線装置側信号送受信手段から送信される無線信号に含ませる音声信号を生成可能なマイクと、
電子機器に着脱可能に接続され、該接続された電子機器に対しデータ信号を送受信可能な機器接続手段と、を備え、
前記無線装置側信号送受信手段が、前記電子機器からのデータ信号を無線信号に含ませて前記本体側信号送受信手段に送信するとともに、前記装置本体からの無線信号に含まれるデータ信号を、前記機器接続手段を介して電子機器に送信することを特徴とする無線装置。
【発明の詳細な説明】
【技術分野】
【０００１】
本発明は、例えば、携帯電話機など、公衆通信網を介して通信可能な携帯端末装置、及び、この携帯端末装置に用いられて通話などを行なうためのいわゆるヘッドセット等の無線装置に関する。
【背景技術】
【０００２】
一般に、携帯電話機など、公衆通信網を介して通信可能な携帯端末装置においては、例えば、車両の運転の際など手がふさがっている状態での通話を可能とするために、マイクつきイヤホンやいわゆるヘッドセットなどが用いられてきた。
このような携帯端末装置、イヤホンやヘッドセットのそれぞれにおいて、無線通信機能を備え、これらの間をワイヤレスにすることにより、配線の煩わしさを軽減したものがある。
【０００３】
従来、このような携帯端末装置としては、例えば、特許文献１及び２記載のものが提案されている。
特許文献１及び２には、携帯電話機本体と、携帯電話機に付設されたヘッドセットを備えた携帯電話機が記載されている。
この携帯電話機においては、携帯電話機本体及びヘッドセットが、Ｂｌｕｅｔｏｏｔｈ（登録商標）による通信機能を備えている。
【０００４】
【特許文献１】特開２００４−０８０３４４号公報
【特許文献２】特開２００４−２１５１９６号公報
【発明の開示】
【発明が解決しようとする課題】
【０００５】
ところで、特許文献１及び２記載の携帯端末装置は、例えば、コンピュータのデータ通信モデムとして使用されたり、携帯電話機のメモリに記憶された電話帳や画像データなどをコンピュータに取得させたりするなどのデータ通信のときに、携帯端末装置及びコンピュータの間のデータ交換する手段として、インタフェースケーブルを用いることとなり、配線が煩雑になってしまうという問題があった。
【０００６】
この問題を解決するためには、コンピュータ側に、ＵＳＢ等の既存の外部Ｉ／Ｆを経由して、無線機能のアダプタ装置を接続することが考えられる。
しかしながら、携帯端末装置とは別途アダプタ装置を携帯する必要があり、携帯する部品点数が多くなってしまうという問題があった。
また、携帯電話とコンピュータとが有線接続の場合には、配線が煩雑になってしまうという問題もあった。
【０００７】
本発明は、以上のような従来の技術が有する問題を解決するために提案されたものであり、電子機器を接続して電子機器とデータ通信するときに、携行する部品点数を少なくできるようにするとともに、配線を簡単にすることができる携帯端末装置及び無線装置の提供を目的とする。
【課題を解決するための手段】
【０００８】
上記目的を達成するため、本発明の携帯端末装置は、公衆通信網を介して通信可能な装置本体と、該装置本体に付設される無線装置とを備える携帯端末装置であって、前記装置本体が、前記無線装置に対して音声信号及びデータ信号を含む無線信号を送受信可能な本体側信号送受信手段を備え、前記無線装置が、前記装置本体に対して前記無線信号を送受信可能な無線装置側信号送受信手段と、前記無線装置側信号送受信手段で受信した無線信号に含まれる音声信号に基づいて音声を生成可能なレシーバと、前記無線装置側信号送受信手段から送信される無線信号に含ませる音声信号を生成可能なマイクと、電子機器に着脱可能に接続され、該接続された電子機器に対しデータ信号を送受信可能な機器接続手段と、を備え、前記無線装置側信号送受信手段が、前記電子機器からのデータ信号を無線信号に含ませて前記本体側信号送受信手段に送信するとともに、前記装置本体からの無線信号に含まれるデータ信号を、前記機器接続手段を介して電子機器に送信する構成としている。
【０００９】
また、本発明の無線装置は、公衆通信網を介して通信可能な携帯端末装置に用いられる無線装置であって、前記携帯端末装置に対して前記音声信号及びデータ信号を含む無線信号を送受信可能な無線装置側信号送受信手段と、前記無線装置側信号送受信手段で受信した無線信号に含まれる音声信号に基づいて音声を生成可能なレシーバと、前記無線装置側信号送受信手段から送信される無線信号に含ませる音声信号を生成可能なマイクと、電子機器に着脱可能に接続され、該接続された電子機器に対しデータ信号を送受信可能な機器接続手段と、を備え、前記無線装置側信号送受信手段が、前記電子機器からのデータ信号を無線信号に含ませて前記本体側信号送受信手段に送信するとともに、前記装置本体からの無線信号に含まれるデータ信号を、前記機器接続手段を介して電子機器に送信する構成としている。
【発明の効果】
【００１０】
本発明の携帯端末装置は、電子機器を接続して電子機器とデータ通信するときに、携行する部品点数を少なくでき、しかも、配線も簡単にすることができる。
【発明を実施するための最良の形態】
【００１１】
以下、本発明の実施形態に係る携帯端末装置及び携帯端末装置に用いられる無線装置の好ましい実施形態について説明する。
【００１２】
図１及び図２には、本発明の一実施形態に係る携帯端末装置を示している。
本携帯端末装置Ｓは、これらの図に示すように、装置本体１と、ヘッドセットなどのワイヤレスユニット２（無線装置）とを備えている。
装置本体１は、いわゆる二つ折り型の携帯電話機であって、公衆通信網（図示せず）を介して通信可能な通信部１０と、ワイヤレスユニット２に対して音声信号及びデータ信号を含む無線信号を送受信可能な本体側信号送受信部１２とを備えている。
【００１３】
通信部１０は、音声信号を送受信する通話機能１００及びデータ信号を送受信するデータ通信機能１０１を備えている。
通話機能１００は、所定の通信手順により公衆通信網を介して、例えば、他の携帯端末との間に回線を設定し、この回線を介して音声パケットなどの音声信号を交換する機能である。
データ通信機能１０１は、所定の通信手順により公衆通信網を介して、例えば、ウェブサーバなどとの間に回線を設定し、この回線を介してデータ信号を交換する機能である。
【００１４】
通信部１０は、通話機能１００が機能すると、音声信号を公衆通信網に対して送受信し、データ通信機能１０１が機能すると、データ信号を公衆通信網に対して送受信する。
本体側信号送受信部１２は、通信部１０に接続されており、ＩＥＥＥ８０２．１５．１規格に順じたいわゆるＢｌｕｅｔｏｏｔｈといわれる通信方式により、ワイヤレスユニット２側と通信を行なう。
また、本体側信号送受信部１２は、電話帳、画像データ及び音楽データを記憶した記憶手段（図示せず）に接続されており、これらのデータをデータ信号としてワイヤレスユニット２側に送信することもできる。
【００１５】
また、装置本体１は、その表面にワイヤレスユニット２を着脱可能に保持する保持部１７を備えている。
保持部１７は、ワイヤレスユニット２が入れられる凹状に形成されている。また、保持部１７は、内側に、突設される爪１７０と、ユーザの操作により進退移動可能な突出部１７１を有したロック機構を備えている。そして、この爪１７０及び突出部１７１が、ワイヤレスユニット２に設けた溝２７０，２７１に入り込むことによりワイヤレスユニット２を保持する。
このようにすると、ワイヤレスユニット２が、ヘッドセットとして用いないときに、装置本体１に保持されるので、携帯性を向上させることができる。また、それぞれがばらばらになりにくくなるので紛失防止も期待できる。
【００１６】
また、保持部１７には、ワイヤレスユニット２側に設けられたユニット側コネクタ２６と、互いに着脱可能に接続されるとともに、これらの間で音声信号及びデータ信号を伝送可能な本体側コネクタ１６が設けられている。
本体側コネクタ１６は、例えば、複数の金属製の突出体で形成されており、ワイヤレスユニット２側のユニット側コネクタ２６を形成する導電性の板体に当接することにより接続される。
【００１７】
また、装置本体１は、各部に、電源回路１５０を介して電源を供給する電池１５を備えている。
電池１５は、例えば、充電可能な例えば、リチウムイオン電池などの二次電池で構成されている。
電源回路１５０は、本体側コネクタ１６及びユニット側コネクタ２６を介してワイヤレスユニット２に電池１５の電力を電源供給可能になっている。
【００１８】
また、装置本体１は、本体側コネクタ１６及びユニット側コネクタ２６の接続を検知する接続検知部１４と、通信部１０及び本体側信号送受信部１２を制御する本体側制御部１３を備えている。
接続検知部１４は、電源回路１５０がワイヤレスユニット２側に電源供給しているか否かにより本体側コネクタ１６及びユニット側コネクタ２６の接続を検知している。
【００１９】
本体側制御部１３は、接続検知部１４の検知が有るときに、本体側信号送受信部１２を非動作状態にし、接続検知部１４の検知が無いときに、本体側信号送受信部１２をワイヤレスユニット２側と通信可能な状態にする。
このようにすると、本体側制御部１３が、接続検知部１４の検知により、自動で本体側信号送受信部１２を、非動作状態又は通信可能な状態とすることができる。そのため、ユーザが操作するスイッチを設けた場合等に比較して、ユーザの操作を簡単にすることができる。
【００２０】
装置本体１は、人の声などの音声を受けて音声信号を生成するマイク１８と、通信部１０に接続されるオーディオインタフェース１９を備えている。
オーディオインタフェース１９は、本体側信号送受信部１２が非動作状態のときに、マイク１８からの音声信号を通信部１０で送信可能にするとともに、通信部１０が受信した音声信号に基づいて、後述のレシーバ２１が音声を発生可能にしている。
【００２１】
ワイヤレスユニット２は、装置本体１の本体側信号送受信部１２に対して無線信号を送受信可能な無線装置側信号送受信部２０と、受信した無線信号に含まれる音声信号に基づいて音声を生成可能なレシーバ２１と、送信される無線信号に含まれる音声信号を生成可能なマイク２２と、コンピュータＰなどの電子機器に着脱可能に接続され、接続されたコンピュータＰに対しデータ信号を伝送可能な機器接続部（２３）と、を備えている。
【００２２】
無線装置側信号送受信部２０は、無線信号に含まれる音声信号をレシーバ２１に出力し、マイク２２からの音声信号が入力される音声信号入出力部２０１（音声信号Ｉ／Ｆ）と、機器接続部に対して無線信号の入出力を行なうデータ信号入出力部２０２（データ信号Ｉ／Ｆ）と、音声信号入出力部２０１又はデータ信号入出力部２０２を選択して使用可能にする選択手段２００と、を備えている。
【００２３】
音声信号入出力部２０１は、無線装置側無線信号送受信部２０が受信した無線信号に含まれる音声信号を取り出し、この音声信号に基づいてレシーバ２１が音声を発生可能にし、マイクからの音声信号を通信部１０で送信可能にし、この音声信号を無線信号に含ませている。
データ信号入出力部２０２は、無線装置側無線信号受信部２０が受信した無線信号に含まれるデータ信号を無線信号から取り出して機器接続部に出力し、機器接続部からのデータ信号を無線信号に含ませている。
【００２４】
選択手段２００は、例えば、図示しないスイッチで構成されている。
また、選択手段２００が、音声信号入出力部２０１を選択しているときは、無線装置側信号送受信部２０は、所定の通信手順により、本体側信号送受信部１２との間に音声信号を含む無線信号の音声通信回線を設定可能にする。
音声通信回線を設定するときは、本体側信号送受信部２０が、無線装置側信号送受信部２０に所定の信号を送る。
選択手段２００が、データ信号入出力部２０２を選択しているときは、無線装置側信号送受信部２０は、所定の通信手順により、本体側信号送受信部１２との間にデータ信号を含む無線信号のデータ通信回線を設定可能にする。
データ通信回線を設定するときは、無線装置側信号送受信部２０が、本体側信号送受信部１２に所定の信号を送る。
【００２５】
レシーバ２１は、スイッチ２４０及びユニット側コネクタ２６を介して有線でオーディオインタフェース１９に接続されている。
スイッチ２４０は、音声信号入出力部２０１又はユニット側コネクタ２６に選択的に切換え可能となっている。
また、レシーバ２１は、ワイヤレスユニット２が保持部１７に保持されたときに、装置本体１に設けられた孔１７２に臨む位置に設けられている。
なお、孔１７２は、市販の二つ折り携帯電話機のレシーバと同様の位置に設けられている。
このようにすると、スイッチ２４０による切換で、装置本体１から有線でワイヤレスユニット２に備えられるレシーバ２１に音声信号を送り、レシーバ２１に、孔１７２から音を出させるので、ワイヤレスユニット２が装置本体１とレシーバ２１を共用することができる。そのため、構造を簡単にすることができ、装置本体１とワイヤレスユニット２の小型化を図ることができる。
【００２６】
また、本実施形態においては、レシーバ２１部分が、伸張できる構造になっており、ヘッドセットとして使用する時は、図３に示すように、レシーバ２１を引き出すことで、耳に装着しやすい寸法の突起とすることができる。
なお、ワイヤレスユニットが、例えば、耳介に係止するフック部を備え、このフック部によりワイヤレスユニットを耳に装着する構成としてもよい。
装置本体１の保持部１７にワイヤレスユニット２を保持させるときや、ＰＣと接続するときは、レシーバ２１を縮めることができる。
このようにすると、ワイヤレスユニット２自体が、保持部１７にあうサイズになり、保持部１７にワイヤレスユニット２を保持することができる。
【００２７】
機器接続部は、図５に示すように、本実施形態においては、雄型のＵＳＢ（Ｕｎｉｖｅｒｓａｌ  Ｓｅｒｉａｌ  Ｂｕｓ）コネクタ２３と、ＵＳＢ規格に準じたデータ信号を伝送するためのＵＳＢコントローラ部２３０とを備えている。
ＵＳＢコネクタ２３は、例えば、コンピュータＰが備える雌型のＵＳＢコネクタに差し込まれる。
ＵＳＢコントローラ部２３０は、無線装置側信号送受信部２０に接続されている。
また、ワイヤレスユニット２は、ＵＳＢコネクタ２３の非使用時に、ＵＳＢコネクタ２３を覆うカバー２７を備えている。
このようにすると、カバー２７によりＵＳＢコネクタ２３を覆うことができるので、ＵＳＢコネクタ２３の汚損を防止できる。
【００２８】
また、ワイヤレスユニット２は、自身を動作させるための電源を供給する電池２５０を備えている。電池２５０は、充電可能な例えば、リチウムイオン電池などの二次電池で構成されている。
電池２５０は、充電回路２５１を介して、ＵＳＢコネクタ２３のＶＢＵＳ２３１及びユニット側コネクタ２６に接続されており、コンピュータＰの電源及び装置本体１の電池１５から充電可能となっている。
【００２９】
このようにすると、装置本体１にワイヤレスユニット２を保持した際に、装置本体１から自動的に電池２５０に充電することができる。
また、ワイヤレスユニット２のＵＳＢコネクタ２３を、コンピュータＰ側のＵＳＢコネクタに接続したときにも、コンピュータＰから自動的に電池２５０に充電することができる。
これにより、ワイヤレスユニット２専用の充電器が不要になり、かさばらず携帯性が向上する効果がある。
【００３０】
また、ワイヤレスユニット２は、ＵＳＢコネクタ２３の電気機器に対する接続を検知する機器接続検知手段と、ユニット側コネクタ２６の接続を検知する本体接続検知手段と、機器接続検知手段及び本体接続検知手段の検知に基づいて無線装置側信号送受信部２０を制御する無線装置側制御部２４とを備えている。
【００３１】
機器接続検知手段及び本体接続検知手段は、接続検知部２５で構成されている。
接続検知部２５は、ＵＳＢコネクタ２３のコンピュータＰへの接続を、ＵＳＢコネクタ２３のＶＢＵＳ２３１を介した充電回路２５１への電源供給の有無により検知している。
また、接続検知部２５は、ユニット側コネクタ２６の本体側コネクタ１６への接続を、ユニット側コネクタ２６を介した電池２５０への電源供給の有無により検知している。
【００３２】
即ち、接続検知部２５は、ＶＢＵＳ２３１を介して電池２５０に電源供給がされたときに、ＵＳＢコネクタ２３の接続を検知する。
また、接続検知部２５は、ユニット側コネクタ２６を介して電池２５０に電源供給を受けたときに、ユニット側コネクタ２６の接続を検知する。
【００３３】
無線装置側制御部２４は、図４に示すように、接続検知部２５において、ＵＳＢコネクタ２３の接続の検知が無く、ユニット側コネクタ２６の接続の検知が無しのときに、選択手段２００に音声信号入出力部２０１を選択させるとともに、スイッチ２４０を切り換えてレシーバ２１と音声信号入出力部２０１とを接続する音声通信モードＭ２となる。
また、無線装置側制御部２４は、接続検知部２５において、ＵＳＢコネクタ２３の接続の検知が有るときに、選択手段２００にデータ信号入出力部２０２を選択させるデータ通信モードＭ３となる。
また、無線装置側制御部２４は、接続検知部２５において、ユニット側コネクタ２６の接続の検知があるときに、無線装置側信号送受信部２０を非作動にするとともに、スイッチ２４０を切り換えてレシーバ２１とオーディオインタフェース１９とを接続させる非動作モードＭ１となる。
【００３４】
このようにすると、ＵＳＢコネクタ２３をコンピュータＰ側のＵＳＢコネクタ２３に差し込んだり、抜き取ったりするだけで、接続検知部２５の検知により、無線装置側制御部２４が自動で、音声通信モードＭ２又はデータ通信モードＭ３の状態に遷移するようになる。
これにより、無線装置側信号送受信部２０及び本体側信号が、これに従って無線信号に音声信号を含めたり、データ信号を含めたりするので、ユーザの操作を簡単にすることができる。
そのため、ユーザの利便性が向上する効果がある。
【００３５】
また、ワイヤレスユニット２を、保持部１７に保持させたり、保持部１７から取り出したりするだけで、無線装置側制御部２４が、無線装置側信号送受信部２０を、音声通信モードＭ２及び非動作モードＭ１に状態遷移させるので、この場合にも、ユーザの操作を簡単にすることができる。
即ち、ワイヤレスユニット２や装置本体１に、モード変更するためのスイッチなどを設けて、ユーザがこれを操作することによりモードの変更を行なう場合に比較して、複雑な操作を行うことなく、簡単な操作でモードの変更を行なうことができる。
これにより、ユーザが使用したいモードを即座に設定できるので、利便性を向上させることができる。
【００３６】
次に、以上のような構成からなる本実施形態の携帯端末装置Ｓの動作について、図４に示す状態遷移図を参照しつつ説明する。
まず、予め、例えば、工場出荷時において、製造する者が、装置本体１とワイヤレスユニット２とが互いを認識するいわゆるペアリングを、それぞれに行なわせる。
ワイヤレスユニット２が、装置本体１に装着されているときは（図１（ｂ））、本体側コネクタ１６と、ユニット側コネクタ２６とが接続される。
ワイヤレスユニット２の電池２５０は、接続された本体側コネクタ１６、ユニット側コネクタ２６、電源回路１５０及び充電回路２５１を介して、装置本体１の電池１５から電源供給を受ける。
本体側制御部１３は、接続検知部１４が電源回路１５０から本体側コネクタ１６を介してワイヤレスユニット２への電源供給を検知するので、本体側信号送受信部１２を非動作状態にする。
【００３７】
また、無線装置側制御部２４は、接続検知部２５が装置本体１側から充電回路２５１が電源供給を受けていることを検知しているので、非動作モードＭ１となる。
非動作モードＭ１において、無線装置側制御部２４は、無線装置側信号送受信部２０を、非作動にするとともに、スイッチ２４０をユニット側コネクタ２６側に切り換えて、レシーバ２１とオーディオインタフェース１９とを接続する。
【００３８】
次に、装置本体１をワイヤレスユニット２から外すときには、ロック機構を操作して突出部１７１を後退させて、ロックを解除し、ワイヤレスユニット２を保持部１７から取り外す。
このようにすると、本体側コネクタ１６と、ユニット側コネクタ２６との接続が解除され、電源回路１５０からワイヤレスユニット２側への電源供給がなくなるので、接続検知部１４が、検知無しとなる。そのため、本体側制御部１３は、本体側信号送受信部１２を動作させて、無線装置側信号送受信部２０と無線信号による通信を可能とする。
【００３９】
また、接続検知部２５が、装置本体１側からの電源供給が無くなったことを検知するとともに、ＶＢＵＳ２３１からの電源供給が無いことを検知しているので、無線装置側制御部２４が、非動作モードＭ１から音声通信モードＭ２に遷移する（Ｓ１−１，図１（ａ））。
音声通信モードＭ２の無線装置側制御部２４は、無線装置側信号送受信部２０の選択手段２００に音声信号入出力部２０１を選択させる。また、無線装置側制御部２４は、スイッチ２４０を音声信号入出力部２０１側に切り換えて、レシーバ２１と、音声信号入出力部２０１を接続する。
そして、選択手段２００が、音声信号入出力部２０１を選択しているので、無線装置側信号送受信部２０は、本体側信号送受信部１２側に所定の信号を送信して、本体側信号送受信部１２との間に音声通信回線を設定可能な状態で待機する。
【００４０】
また、ワイヤレスユニット２は、ユーザにより、レシーバ２１部が引き出されてユーザの耳穴に入れられて人に装着される。
この状態で、装置本体１が、ユーザにより、着信、発呼などの操作がなされると、通信部１０の電話機能が発揮させられる。
この際、まず、本体側信号送受信部１２が、音声通信回線を無線装置側信号送受信部２０との間に設定する。
そして、通信部１０からの音声信号が、本体側信号送受信部１２で無線信号に含ませられ、この無線信号が無線装置側信号送受信部２０で受信される。
そして、無線装置側信号送受信部２０において、無線信号から取り出された音声信号は、音声信号入出力部２０１から出力され、スイッチ２４０を介してレシーバ２１に送られる。レシーバ２１は、送られた音声信号に基づいて音声を発する。
【００４１】
また、ワイヤレスユニット２のマイク２２が生成した音声信号は、音声信号入出力部２０１から無線装置側信号送受信部２０に入力され、無線信号に含ませられて、本体側信号送受信部１２に送信される。
本体側信号送受信部１２においては、受信した無線信号から音声信号を取り出す。そして、音声信号は、通信部１０から公衆通信網側に送られる。
【００４２】
このようにすると、ユーザが、携帯端末装置Ｓを手で持たずに、ワイヤレスユニット２を装着した状態で通話できるので、両手を自由に使うことができ、いわゆるハンズフリーを実現できる。
その後、装置本体１の本体側信号送受信部１２は、ユーザが終話操作を行なうことにより、音声通信回線を切断する。そして、本体側信号送受信部１２及び無線装置側信号送受信部２０は、待機状態となる。
【００４３】
次に、ユーザが、コンピュータＰなどから携帯端末装置Ｓを介して、例えば、インターネットなどのネットワークに接続したいときには、まず、コンピュータＰの雌型のＵＳＢコネクタに、ワイヤレスユニット２の雄型のＵＳＢコネクタ２３を差し込む（Ｓ１−２，図５）。
この際、ワイヤレスユニット２の電池２５０が、ＵＳＢコネクタ２３のＶＢＵＳ２３１から充電回路２５１を介して電源供給を受ける。
また、無線装置側制御部２４は、ワイヤレスユニット２の接続検知部２５が、このＶＢＵＳ２３１からの電源供給を検知するので、データ通信モードＭ３となり、無線装置側信号送受信部２０の選択手段２００にデータ信号入出力部２０２を選択させる。
【００４４】
無線装置側信号送受信部２０は、選択手段２００がデータ信号入出力部２０２を選択しているので、本体側信号送受信部１２との間に設定された音声通信回線を切断し、データ通信回線を設定可能な状態で待機する。
また、本体側信号送受信部１２は、無線装置側信号送受信部２０から音声回線が切断されたことを検知すると、データ通信回線の設定可能な状態で待機する。
【００４５】
この状態で、コンピュータＰが、ユーザの所定の操作により、例えば、データ通信を行なうときは、パソコン側からデータ信号がＵＳＢコネクタ２３及びＵＳＢコントローラ部２３０を介して、データ信号入出力部２０２から無線装置側信号送受信部２０に送られる。
データ信号を受けた無線装置側信号送受信部２０は、まず、データ通信回線を本体側信号送受信部１２との間に設定する。
【００４６】
その後、無線装置側信号送受信部２０は、無線信号にデータ信号を含ませて、本体側信号送受信部１２に送信する。
本体側信号送受信部１２が、無線信号を受信すると、無線信号からデータ信号を取り出す。そして、データ信号は、通信部１０のデータ通信機能１０１により、公衆通信網側に送られる。
【００４７】
また、通信部１０が受信したデータ信号は、本体側信号送受信部１２に送られて無線信号に含まれて無線装置側信号送受信部２０に送られる。
無線信号を受けた無線装置側信号送受信部２０は、無線信号からデータ信号を取り出し、これを、データ信号入出力部２０２から、ＵＳＢコントローラ部２３０及びＵＳＢコネクタ２３を介してコンピュータＰ側に送る。
このようにすると、コンピュータＰが、ネットワーク側の情報を得ることができる。
また、コンピュータＰが、ユーザの操作により、装置本体１の記憶手段に記憶された電話帳、画像データ及び音楽データなどを取り込むときは、上記と同様にして、本体側信号送受信部１２が所望のデータのデータ信号を無線信号に含ませて無線装置側信号送受信部２０に送信させる。
【００４８】
次に、コンピュータＰによるネットワークへの接続を終えて、ワイヤレスユニット２の雄型のＵＳＢコネクタ２３が、コンピュータＰから引き抜かれると（Ｓ１−３）、接続検知部２５が、ＶＢＵＳ２３１からの充電回路２５１への電源供給を検知しなくなり、ＵＳＢコネクタ２３の接続を検知しなくなる。
そして、無線装置側制御部２４は、接続検知部２５が、ＵＳＢコネクタ２３の接続及びユニット側コネクタ２６の検知がないので、音声通信モードＭ２になる。
この際、無線装置側制御部２４は、無線装置側信号送受信部２０の選択手段２００に音声信号入出力部２０１を選択させ、スイッチ２４０により音声信号入出力部２０１とレシーバ２１とを接続させる。
この状態で、上記と同様にして、装置本体１をユーザが操作することにより、通話を行なう。
【００４９】
次に、ワイヤレスユニット２が、装置本体１の保持部１７に挿入してロック機構によりこれをロックして保持されると（Ｓ１−４，図１（ｂ））、本体側コネクタ１６と、ユニット側コネクタ２６とが接続される。
そして、上記と同様に、ワイヤレスユニット２の電池２５０は、接続された本体側コネクタ１６、ユニット側コネクタ２６、電源回路１５０及び充電回路２５１を介して、装置本体１の電池１５から電源供給を受ける。
本体側制御部１３は、接続検知部１４が電源回路１５０から本体側コネクタ１６を介してワイヤレスユニット２への電源供給を検知するので、本体側信号送受信部１２を非動作状態とする。
また、無線装置側制御部２４は、上記と同様に、非動作モードＭ１となり、無線装置側制御部２４が、無線装置側信号送受信部２０を、非作動にし、スイッチ２４０をユニット側コネクタ２６側に切り換えて、マイクとオーディオインタフェース１９とを接続する。
【００５０】
この状態で、装置本体１が、ユーザにより、着信、発呼などの操作がなされると、通信部１０の電話機能が発揮させられる。
この際、公衆通信網から通信部１０で音声信号は、オーディオインタフェース１９、本体側コネクタ１６、ユニット側コネクタ２６、及び、スイッチ２４０を介してレシーバ２１に送られる。
レシーバ２１は、送られた音声信号に対応する音声を発する。発せられた音声は、孔１７２を通って装置外部に至り、ユーザに聴かれる。
また、マイク１８は、人の声などの音声を受けて音声信号を生成し、オーディオインタフェース１９を介して通信部１０から、公衆通信網側に送信される。
【００５１】
以上説明したように、本実施形態に係る携帯端末装置Ｓによれば、ワイヤレスユニット２に、電子機器（コンピュータＰ）に着脱可能な機器接続部（ＵＳＢコネクタ２３）を設けたので、ワイヤレスユニット２の無線装置側信号送受信部２０により、データ信号を無線信号に含ませて装置本体１側に送信することができる。
【００５２】
このようにすると、携帯端末装置Ｓは、ワイヤレスユニット２が装置本体１と通信するためのコンピュータＰのアダプタとして機能するので、別途、装置本体１とコンピュータＰとを接続するアダプタを持たなくてもよくなり、ユーザが携行する部品点数を少なくすることができる。
また、コンピュータＰと装置本体１間の配線が、無線回線になるので、有線の場合に比較して配線を簡単にできる。
【００５３】
また、ワイヤレスユニット２が、無線装置側信号送受信部２０を介して本体側信号送受信部１２にマイクの音声信号を無線信号に含ませて送り、無線装置側信号送受信部２０が本体側信号送受信部１２からの無線信号に含まれた音声信号をレシーバ２１に送るので、無線で通話を行うこともできる。
【００５４】
以上、本発明の携帯端末装置、携帯端末装置に用いられる無線装置（ワイヤレスユニット）について、好ましい実施形態を示して説明したが、本発明に係る携帯端末装置及び無線装置は、上述した実施形態にのみ限定されるものではなく、本発明の範囲で種々の変更実施が可能であることは言うまでもない。
【００５５】
例えば、ワイヤレスアダプタの機器接続手段は、ＵＳＢコネクタを備えたがこれに限定されるもので無く、例えば、ＰＣＭＣＩＡやＳＤＩＯなどの他の規格のものであってもよく、電子機器に装備できるものであればどのようなものであってもよい。
また、電子機器としては、コンピュータなどの情報処理装置とデータ交換を行うＰＤＡとなどの携帯型情報処理装置などにも応用してもよい。
また、レシーバ及びマイクを、無線装置に一体に設けたがこれに限定されるもので無く、無線装置にマイク付イヤホンやヘッドセットの有線コードが接続可能な接続端子を設けてレシーバ及びマイクを別体としてもよい。
【００５６】
また、音声信号が、通話による音声としたが、これに限定されるものでなく、例えば、装置本体に内蔵した記憶装置に記憶された音楽などであってもよい。
また、本体側信号送受信部及び無線装置側信号送受信部間の無線通信技術として、Ｂｌｕｅｔｏｏｔｈを用いたが、親機と子機の区別をしなくて良く、自分自身が親機にも子機にもなれるような、例えば、Ｗｉｒｅｌｅｓｓ  ＵＳＢ、ＺｉｇＢｅｅ（ＩＥＥＥ  ８０２．１５．４）、無線ＬＡＮ（ＩＥＥＥ  ８０２．１１ａ／ｂ／ｇ／ｎ／ｊ  等）、赤外線通信系（ＩｒＤＡ）などの他の無線通信技術を適用してもよく適宜設計変更して差支えない。
【図面の簡単な説明】
【００５７】
【図１】本発明の一実施形態に係る携帯端末装置を示す図であって、（ａ）は、装置本体にワイヤレスユニットを外した状態、（ｂ）は、ワイヤレスユニットを装置本体１に装着した状態をそれぞれ示している。
【図２】本発明の一実施形態に係る携帯端末装置を示すブロック図である。
【図３】本発明の一実施形態に係る携帯端末装置を、ワイヤレスユニットをユーザに装着した状態で示す図である。
【図４】本発明の一実施形態に係る携帯端末装置において、ワイヤレスユニットの状態遷移図である。
【図５】本発明の一実施形態に係る携帯端末装置を、ワイヤレスユニットをコンピュータに接続した状態で示す図である。
【符号の説明】
【００５８】
Ｓ  携帯端末装置
１  装置本体
１０  通信部
１００  通話機能
１０１  データ通信機能
１２  本体側信号送受信
１３  本体側制御部
１４  接続検知部
１５  電池
１５０  電源回路
１６  本体側コネクタ
１７  保持部
１７０  爪
１７１  突出部
１７２  孔
１８  マイク
１９  オーディオインタフェース
２  ワイヤレスユニット
２０  無線装置側信号送受信部
２００  選択手段
２０１  音声信号入出力部
２０２  データ信号入出力部
２１  レシーバ
２２  マイク
２３  ＵＳＢコネクタ（機器接続部）
２３０  ＵＳＢコントローラ部
２４  無線装置側制御部
２４０  スイッチ
２５  接続検知部
２５０  電池
２５１  充電回路
２６  ユニット側コネクタ
２７  カバー
２７０，２７１  溝
【図１】
2009141499.tif 000003
【図２】
2009141499.tif 000004
【図３】
2009141499.tif 000005
【図４】
2009141499.tif 000006
【図５】
2009141499.tif 000007